(57)【要約】【課題】認証方式として、キー入力によるパスワード認証と静電センサによるサイン認証とを組み合わせて用いることで、個人情報にアクセスする際の認証の仕組みを強化する。【解決手段】本発明は、制御部２が、キーパッド部３ａを介して取得されたキー入力情報をパスワード認証時に照合するデータとして事前登録すると共に、定期的に静電センサ３ｂにて取得した座標情報をサイン認証時に照合するデータとして事前登録するパスワード・サイン登録機能２ｂと、このキー入力情報及び座標情報を事前登録するためのＤＢ５と、事前登録されたキー入力情報と認証時に上記キーパッド部３ａを介して入力されたキー入力情報とを照合し、パスワード認証を行うパスワード認証機能２ｃと、事前登録された座標情報と認証時に上記静電センサ３ｂで定期的に取得された座標情報とを照合し、サイン認証処理を行うサイン認証機能２ｄと、を具備する携帯電話機である。【選択図】      図１
2008065692.tif 000002
【特許請求の範囲】
【請求項１】
キー入力を行うキー入力手段と、
指の接触があった場合に、その座標情報を取得する取得手段と、
上記キー入力手段を介して取得されたキー入力情報をパスワード認証時に照合するデータとして事前登録すると共に、定期的に上記取得手段にて取得した座標情報をサイン認証時に照合するデータとして事前登録するパスワード・サイン登録手段と、
このキー入力情報及び座標情報を事前登録するための保持手段と、
上記保持手段に事前登録されたキー入力情報と認証時に上記キー入力手段を介して入力されたキー入力情報とを照合し、パスワード認証を行うパスワード認証手段と、
上記保持手段に事前登録された座標情報と認証時に上記取得手段で定期的に取得された座標情報とを照合し、サイン認証処理を行うサイン認証手段と、
を具備することを特徴とする携帯電話機。
【請求項２】
上記サイン認証手段は、上記キー入力手段によるキー入力の直前及び直後の少なくともいずれかにおける所定の閾値の範囲内において上記取得手段にて取得された座標情報は照合の対象外とする、請求項１に記載の携帯電話機。
【請求項３】
上記サイン認証では、上記保持手段に保持されている座標情報と、認証時に上記取得手段で定期的に取得された座標情報とのパターンマッチングを行い、その結果である合否判定ポイントが、閾値より高いか否かにより認証の成否を判断しており、
上記サイン認証手段は、上記パスワード認証手段によるパスワード認証の結果に基づいて、上記閾値を変更する、ことを更に特徴とする請求項１に記載の携帯電話機。
【発明の詳細な説明】
【技術分野】
【０００１】
本発明は、例えば個人情報へのアクセスの際等における認証の方式として、パスワード認証とサイン認証を併用した携帯電話機に関する。
【背景技術】
【０００２】
従来、携帯電話機には、アドレス帳やスケジュール等、多数の個人情報が格納されている。このような外部への漏洩を防止する必要のある秘匿性の高い情報を保持しているにも関わらず、個人情報にアクセスする際に行う個人認証方式としては、４桁の数字を入力するパスワード方式が一般的であり、脆弱である。また、この４桁の数字を第三者に推測されないように、ユニークな数字の組み合わせを用いると、当該パスワードが簡単に思い出せないものとなるといった問題が生じてしまう。
【０００３】
このようにパスワードを忘れた場合には、パスワードを表示して確認する必要があるが、例えば特許文献１では、着信時に発呼者の電話番号である発呼者番号と予め登録されている発呼者番号登録データとを比較し、両者が一致し更に発呼者番号と発呼者番号登録データが一致するとパスワード確認表示を行わせるための確認指示となる選択番号を入力し、登録されている選択番号登録データと、この選択番号が一致している場合にパスワードを表示する技術が開示されている。
【特許文献１】特開２００４−２９７２８８号公報
【発明の開示】
【発明が解決しようとする課題】
【０００４】
しかしながら、特許文献１の技術では、忘れたパスワードを確認表示する際のセキュリティレベルは高められているものの、そもそも数字の組み合わせによるパスワードを用いることを前提としており、個人情報にアクセスする際の認証としてはパスワード認証を用いていることから、個人情報の外部への漏洩を完全には防止することができない。
【０００５】
本発明の目的とするところは、認証方式として、キー入力によるパスワード認証と静電センサによるサイン認証とを組み合わせて用いることで、個人情報にアクセスする際の認証の仕組みを強化することにある。
【課題を解決するための手段】
【０００６】
本発明の一つの観点によれば、キー入力を行うキー入力手段と、指の接触があった場合に、その座標情報を取得する取得手段と、上記キー入力手段を介して取得されたキー入力情報をパスワード認証時に照合するデータとして事前登録すると共に、定期的に上記取得手段にて取得した座標情報をサイン認証時に照合するデータとして事前登録するパスワード・サイン登録手段と、このキー入力情報及び座標情報を事前登録するための保持手段と、上記保持手段に事前登録されたキー入力情報と認証時に上記キー入力手段を介して入力されたキー入力情報とを照合し、パスワード認証を行うパスワード認証手段と、上記保持手段に事前登録された座標情報と認証時に上記取得手段で定期的に取得された座標情報とを照合し、サイン認証処理を行うサイン認証手段と、を具備することを特徴とする携帯電話機が提供される。
【発明の効果】
【０００７】
本発明によれば、認証方式として、キー入力によるパスワード認証と静電センサによるサイン認証とを組み合わせて用いることで、個人情報にアクセスする際の認証の仕組みを強化した携帯電話機を提供することができる。
【発明を実施するための最良の形態】
【０００８】
以下、図面を参照して、本発明の実施の形態について説明する。
【０００９】
（第１の実施の形態）
図１には本発明の第１の実施の形態に係る携帯電話機の構成を示し説明する。
【００１０】
この図１に示されるように、この携帯電話機１００は、無線部１と制御部２、入力処理部３、表示部４、保持手段としてのデータベース（以下、ＤＢと略記する）５、記憶部６を備えている。この制御部２は、主制御機能２ａ、パスワード・サイン登録機能２ｂ、パスワード認証機能２ｃ、サイン認証機能２ｄを有している。さらに、入力処理部３は、キー入力手段としてのキー入力可能なキーパッド部３ｂと、取得手段としての静電センサ３ａが同一領域に重ねて配置され構成されている。このキーパッド部３ｂは、例えば、図２に示されるように、携帯電話機１００の表示領域１０１の下方の領域１０２に配設されるものであり、タッチパッド用にも兼用される。
【００１１】
このような構成において、制御部２の各機能を詳述すると、主制御機能２ａは、携帯電話機１００の全体的な制御を司る機能である。パスワード・サイン登録機能２ｂは、入力処理部３のキーパッド３ａを介して取得されたキー入力情報を記録し当該キー入力情報をパスワード認証機能２ｃによるパスワード認証時に照合するデータとして事前登録すると共に、定期的に入力処理部３の静電センサ３ｂにて取得した座標情報を記録し当該座標情報をサイン認証機能２ｄによるサイン認証時に照合するデータとして事前登録する機能である。この座標情報、及びキー入力情報は、ＤＢ５に事前登録される。  
即ち、この実施の形態では、キー入力情報と座標情報を、パスワード認証及びサイン認証用として事前登録しておく。このように事前登録する情報は、キー入力情報単独で、座標情報単独で、あるいは双方を関連付けて、記憶することになる。
【００１２】
パスワード認証機能２ｃは、事前登録したキー入力情報と認証時に入力されたキー入力情報とを照合し、パスワード認証を行う機能である。そして、サイン認証機能２ｄは、事前登録した座標情報と認証時の入力において定期的に取得した座標情報を使用して、サイン認証処理を行う機能である。このほか、無線部１は、基地局を介して他の携帯電話機等と無線通信を行うものである。表示部４は、前述したパスワード・サイン登録時に、登録されたパスワード・サイン等を表示するものである。そして、記憶部６は、入力処理部３のキーパッド部３ａを介して入力されたキー入力情報や静電センサ３ｂで検出された座標情報等を一時的に保持するためのものである。
【００１３】
このように、第１の実施の形態に係る携帯電話機では、キーパッド部３ａを介して入力されたキー入力情報を事前登録されたキー入力情報と照合するパスアワード認証、及び／又はキー入力中の指の運び、つまり座標情報を静電センサ３ａで定期的に検出して事前登録された座標情報とパターンマッチングで照合するサイン認証を実施することで、より正確な個人認証を行うことが可能となっている。
【００１４】
以下、図３のフローチャートを参照して、本発明の第１の実施の形態に係る携帯電話機による個人認証用のデータ登録の処理手順を更に詳細に説明する。以下の処理は、制御部２がパスワード・サイン登録機能２ｂに基づいて実施するものである。
【００１５】
ここでは、携帯電話機により、複数回のキー入力、なぞりの組み合わせによる個人認証用の情報（キー入力情報、座標情報）の事前登録を行う。
【００１６】
入力処理部３のキーパッド部３ａの予め割り振られた事前登録開始／終了を指示するためのキーが押下されると、この処理を開始し、制御部２は、入力回数に係る変数ｎをイニシャライズする（ステップＳ１）。続いて、制御部２は、静電センサ３ｂが指の接触を検知したか否かを判断する（ステップＳ２）。ここで、静電センサ３ｂが指の接触を検知すると、以降、定期的に座標情報を取得し、記憶部６に保持する（ステップＳ３）。そして、制御部２は、この取得された座標情報を随時に確認のために表示部４に表示する（ステップＳ４）。続いて、制御部２は、キーパッド部３ａを介してのキー入力を検知すると（ステップＳ５）、キー入力情報を取得し記憶部６に保持する（ステップＳ６）。そして、この取得されたキー入力情報を随時に確認のために表示部４に表示する（ステップＳ７）。これに対して、キーパッド部３ａを介してのキー入力が特に検知されない場合には、ステップＳ８に移行する。そして、制御部２は、静電センサ３ｂから指が離されたか否かを判断し（ステップＳ８）、指が離されていない場合には入力が継続されているものと判断し、上記ステップＳ３に戻り、上記処理を継続する。
【００１７】
一方、指が離された場合には、制御部２は、登録処理終了が指示されたかを判定する（ステップＳ９）。この判定についても、例えば入力処理部３のキーパッド部３ａの予め割り振られた事前登録終了を指示するためのキーが押下されたか否かにより判定する。
【００１８】
そして、登録処理が継続している場合は、ステップ２に戻り再度入力待ちを行い、登録処理が終了した場合は、ｎ＝０であるか、つまり入力が初回の入力であるか否かを判断し（ステップＳ１０）、最初の入力である場合にはステップＳ１４に移行する。一方、入力が初回でない場合には、今回入力された情報（パスワード、サイン）を前回に入力された情報と照合し（ステップＳ１１）、この照合の結果、不一致となれば（ステップＳ１２）、再入力を表示部４の表示で促した後（ステップＳ１３）、上記ステップＳ２に戻り、上記処理を繰り返す。この場合には、入力回数はカウントされないことになる。これに対して、制御部２は、照合の結果、合致すると判断した場合、変数ｎをインクリメントした後（ステップＳ１４）、所定回数Ｎ以上の入力がなされたか否か（ｎ≧Ｎ）を判断する（ステップＳ１５）。制御部２は、所定回数Ｎ以上の入力が未だなされていないと判断した場合には上記ステップＳ２に戻り、上記処理を繰り返す。その一方で、所定回数Ｎ以上の入力が既になされていると判断した場合には、制御部２は、パスワードであるキー入力情報、サインである座標情報をそれぞれＤＢ５に登録し（ステップＳ１６）、こうして一連の処理を終了する。
【００１９】
ここで、図４を参照して、実際の事前登録に係る表示部４の表示例を説明する。
【００２０】
この例では、パスワードとして「１５３９」を入力する際、当該キー入力の間の指の運びがサインを定義する所望とする軌跡をたどるように複数回の入力を行う例を挙げる。
【００２１】
キーパッド部３ａにて「１」が押下されると表示部４の表示領域１０１に図４（ａ）に示されるような表示がなされる。その後、次のキーまで所望とする軌跡をたどるように指をなぞると、静電センサ３ｂが定期的に指の運び、つまり座標情報を検出し、当該座標情報を保持する。例えば、「１」が押下された後、所定の軌跡をたどるように指でキーパッド部３ａ（タッチパッド兼用）の表面をなぞりながら次のキーに進み、「５」を押下すと、表示部４の表示領域１０１には図４（ｂ）に示されるような表示がなされる。
【００２２】
これ以降、同様に、所定の軌跡をたどるように指でキーパッド部３ａ（タッチパッド兼用）の表面をなぞりながら次のキーに進み、「３」を押下すると、図４（ｃ）に示されるような表示がなされ、続いて「９」を押下すると図４（ｄ）に示されるような表示がなされる。以上の処理の過程で取得されたキー入力情報、座標情報は、パスワード、サイン認証用の情報としてＤＢ６に所定のフォーマットで保持される。
【００２３】
以上の事前登録は、複数回入力を前提としているので、入力された指の運び（サインに相当）がある程度類似しており、キー入力されたパスワードが合致していなければならない。仮に、両者がある程度合致していない場合は、再入力を促す。尚、指の運びとパスワードの入力方法は、順序に制限はない。キー押下がない「なぞり」でも良いし、「なぞり」中にキー押下があっても良いし、キー押下のみでも良い。なぞりの本数、パスワードの文字数、文字種別は制限されていてもよい（一般的な携帯電話機では数字４桁）。
【００２４】
次に、図５のフローチャートを参照して、本発明の第１の実施の形態に係る携帯電話機による個人認証の処理手順を更に詳細に説明する。
【００２５】
アドレス帳の更新や、シークレットモードへ移行する場合など、個人認証が必要となる場面にて、この個人認証の処理が開始されると、制御部２は静電センサ３ｂが指の接触を検知したか否かを判断する（ステップＳ２１）。ここで、パスワード、サインの入力が開始されると、以降、定期的に座標情報を取得し、記憶部６に保持する（ステップＳ２２）。続いて、制御部２はキーパッド部３ａを介してのキー入力を検知すると（ステップＳ２３）、キー入力情報を取得し記憶部６に保持する（ステップＳ２４）。キーパッド部３ａを介してのキー入力が特に検知されない場合には、ステップＳ２５に移行する。そして、制御部２は、静電センサ３ｂから指が離されたか否かを判断し（ステップＳ２５）、指が離されていない場合には入力が継続されているものと判断し、上記ステップＳ２２に戻り、上記処理を継続する。一方、指が離された場合には制御部２は、パスワード、サインの入力完了が指示されたかを判定する（ステップＳ２６）。そして、入力継続の場合は、ステップＳ２１の再度入力待ちに戻り、入力完了の場合は、パスワード認証機能２ｃによるパスワード認証（ステップＳ２７）、サイン認証機能２ｄによるサイン認証を実施し（ステップＳ２８）、認証が成立したか否かを判断する（ステップＳ２９）。ここで、認証が成立した場合には処理を許可し（ステップＳ３０）、一方、認証が不成立の場合には処理を禁止し（ステップＳ３１）、こうして一連の処理を終了する。
【００２６】
以上の処理では、ユーザは、事前登録しているサインの軌跡と同じ指の運び、パスワードを定義するキー入力情報と同じキー入力でパスワード、サイン入力を行う。表示部４の表示領域１０１には、このときにも入力された座標の軌跡や押下されたキーの情報が表示されても良いが、秘匿性の高い情報であることから、表示しない方が好ましいことは勿論である。尚、ユーザの選択により、表示の可否を選べるようにしてもよい。
【００２７】
尚、より具体的には、サイン認証では、実際にユーザによるなぞりを行う過程で定期的に取得された座標情報と、ＤＢ５に事前登録された認証に関する座標情報とのパターンマッチングを行い、その結果である合否判定ポイントが、所定の閾値より高い場合にはサイン認証成功とみなし、閾値以下である場合にはサイン認証は失敗とする。
【００２８】
このサイン認証処理では、Ｘ，Ｙ座標に関わらず、圧力を示すＺ座標を利用した認証を行っても良いことは勿論である。また、両方の認証処理が成功した場合にのみ個人認証が成功したと判別してもよいし、サイン認証の合否判定ポイントのマッチの度合いが低い場合も、キー入力したパスワードが合致している場合は、認証成功とみなしても良い。
【００２９】
以上説明したように、本発明の第１の実施の形態によれば、サイン認証とパスワード認証の両者により正確な個人認証を行うことができる。キー入力によるパスワード認証とサイン認証を別々に行う場合と比較して、操作手順は少なくなり、セキュリティレベルも向上する。また、同一デバイスで複数の操作を織り交ぜるため、パスワード入力中の場面を第三者に見られても、パスワード・サインを見破られ難くなる。
【００３０】
以下の第２乃至第７の実施の形態は、第１の実施の形態を基礎としており、従って、図１乃至図５を適宜参照しつつ、同一構成には同一符号を用いて説明する。
【００３１】
(第２の実施の形態) 
第２の実施の形態は、制御部２が、サイン認証機能２ｄにより、キー押下の直前、直後の所定の閾値の範囲内（座標）において静電センサ３ｂに対して入力された情報を、サイン認証処理の入力情報から除外することを更に特徴とするものである。
【００３２】
キー押下時には、静電センサ３ｂに対しても情報入力がなされることになるが、それはキー押下のための操作であるので、サインのための入力ではないことから、サイン認証のための情報として用いない方が精度上、好ましい。そこで、この第２の実施の形態ではキー押下時における静電センサ３ｂへの入力情報を削除することで、サイン認証における認証精度を向上させるものである。
【００３３】
(第３の実施の形態) 
第３の実施の形態は、制御部２が、サイン認証機能２ｄにより、静電センサ３ｂにより入力した情報の圧力(筆圧に相当)も加味してサイン認証を行うものである。
【００３４】
これによれば、圧力を示すＺ座標の情報をサイン認証に用いることで、認証に利用する情報のバリエーションを増やすことができる。
【００３５】
(第４の実施の形態) 
第４の実施の形態は、制御部２が、パスワード認証機能２ｃによるキー入力情報を用いたパスワード認証の結果に基づき、サイン認証機能２ｄによるサイン認証処理におけるパターンマッチングの合否判定ポイントと比較する閾値を変更させるものである。
【００３６】
つまり、上記サイン認証では、上記ＤＢ５に保持されている座標情報と、認証時に上記静電センサ３ｂで定期的に取得された座標情報とのパターンマッチングを行い、その結果である合否判定ポイントが、閾値より高いか否かにより認証の成否を判断し、上記制御部２のサイン認証機能２ｄによるサイン認証時に、上記パスワード認証機能２ｂによるパスワード認証の結果に基づいて、上記閾値を変更する、ことを更に特徴とする。
【００３７】
即ち、キー入力情報を用いたパスワード認証が成功した場合には、サイン認証時のパターンマッチングにおける合否判定ポイントが通常より低い場合でも、サイン認証成功とみなす。仮に、キー入力によるパスワードが複数あり、それぞれのセキュリティレベルが異なる場合（例えば４文字のパスワード認証と、８文字のパスワード認証の２種類がある場合、８文字のパスワード認証の方が、入力文字数が多いため、セキュリティレベルが高いと言える可能性がある）が考えられる。キー入力によるパスワードで文字数が多い場合には、サイン認証を行う情報も必然的に多くなり得るため、サインの入力が困難となり、サイン認証が失敗する可能性が高くなる。このように、第４の実施の形態は、パスワード認証のセキュリティレベルが高いと判断できる場合は、サイン認証における合否判定ポイントを低く変更する事でサイン認証を成功し易くすることを特徴とする。
【００３８】
(第５の実施の形態) 
第５の実施の形態は、制御部２が、サイン認証機能２ｄによるサイン認証中のキー押下は受付けないものである。この場合、タッチオン／オフ時にある領域のキーをキー入力とみなし、同等のパスワードとしてＤＢ５に事前登録しておく必要がある。制御部２はサイン認証機能２ｄにより、認証時には、筆記されたサインのパターン認証と、タッチオン／オフ時にある領域のキーのパスワード認証を行う。従って、この第５の実施の形態によれば、タッチオン／オフの抽出により、サイン中のキー入力を省略することができる。
【００３９】
(第６の実施の形態) 
第６の実施の形態は、同一のキー領域のみでタッチオン／オフが行われた場合、そのキーに関する情報を記録しておく（以下、キー領域タッチ情報と称する）。そして、このキー領域タッチ情報を、キー入力とは別にパスワード入力に利用するものである。つまり、キー入力でのパスワード認証以外に、タッチしたキー（キー入力はしない）にて、パスワード認証を行うことで、認証の種類を追加する。
【００４０】
(第７の実施の形態) 
第７の実施の形態は、同一キー領域のみでタッチオン／オフが行われた場合、キー領域タッチ情報として記録した際に、その静電センサ３ｂに対する入力情報を、サイン認証による情報から除外するものである。同一キー領域をタッチして、タッチしたキーにてパスワード認証を行う際には、この入力はサイン認証に向けた入力ではない。そのため、このパスワード認証に向けた静電センサに対するタッチ情報を、サイン認証から除外する事でサイン認証の精度を高めるものである。
【００４１】
以上、本発明の第１乃至第７の実施の形態について説明したが、本発明はこれに限定されることなく、その趣旨を逸脱しない範囲で種々の改良・変更が可能である。
【図面の簡単な説明】
【００４２】
【図１】本発明の第１の実施の形態に係る携帯電話機の構成を示す図である。
【図２】本発明の第１の実施の形態に係る携帯電話機の表示領域、キーパッド部の配置領域を示す図である。
【図３】本発明の第１の実施の形態に係る携帯電話機による個人認証用のデータ登録の処理手順を更に詳細に説明するフローチャートである。
【図４】本発明の第１の実施の形態に係る携帯電話機による実際の事前登録に係る表示部４の表示例を説明する。
【図５】本発明の第１の実施の形態に係る携帯電話機による個人認証の処理手順を更に詳細に説明するフローチャートである。
【符号の説明】
【００４３】
１…無線部、２…制御部、２ａ…主制御機能、２ｂ…パスワード登録機能、２ｃ…キー入力認証機能、２ｄ…サイン認証機能、３…入力処理部、３ａ…キーパッド部、３ｂ…静電センサ、４…表示部、５…ＤＢ、６…記憶部。
【図１】
2008065692.tif 000003
【図２】
2008065692.tif 000004
【図３】
2008065692.tif 000005
【図４】
2008065692.tif 000006
【図５】
2008065692.tif 000007